(57)【要約】【課題】  内蔵メモリの容量を増やすことなく、動画での録画を可能にする。【解決手段】 カメラ１１を有する玄関機１０と接続され、そのカメラで撮像された画像を表示するモニタ２８を備えた住宅情報盤２０において、画像を録画して内蔵メモリに記憶する画像録画部３１と、画像録画部と接続され、外付けメモリ３５が装着されるメモリ装着部３４とを設けた。  画像録画部３１は、画像を静止画で録画する静止画モードと、画像を動画で録画する動画モードとを有しており、メモリ装着部に外付けメモリ３５が装着されると、画像録画部は、動画モードで録画を行い、外付けメモリに動画を記憶する。【選択図】図１
2007174070.tif 000002
【特許請求の範囲】
【請求項１】
カメラを有する玄関機と接続され、該カメラで撮像された画像を表示するモニタを備えた住宅情報盤において、
前記画像を録画して内蔵メモリに記憶する画像録画部と、
該画像録画部と接続され、外付けメモリが装着されるメモリ装着部とを設け、
前記画像録画部は、前記画像を静止画で録画する静止画モードと、前記画像を動画で録画する動画モードとを有することを特徴とする住宅情報盤。
【請求項２】
前記メモリ装着部に外付けメモリが装着されると、前記画像録画部は、動画モードで録画を行い、前記外付けメモリに動画を記憶することを特徴とする請求項１記載の住宅情報盤。
【発明の詳細な説明】
【技術分野】
【０００１】
この発明は、住宅情報盤に関する。
【背景技術】
【０００２】
集合住宅等においては、共同玄関にカメラを有する集合玄関機が設置され、住戸の玄関にカメラを有するテレビドアホン（玄関子機）が設置される。これら玄関機と住戸内に設置した住宅情報盤とは信号線を介して接続され、玄関機のカメラで撮像された画像は、住宅情報盤のモニタで表示される。
【０００３】
住宅情報盤には、留守の際の訪問客などに備えて、不在時の訪問客の映像を録画する録画機能が設けてある（例えば、特許文献１参照）。
【０００４】
住宅情報盤の録画機能は、所定の時間間隔で撮像した静止画像（以下、静止画という）を複数枚メモリに格納し、再生釦が押される毎に、一枚づつその静止画をモニタに表示させるものである。
【特許文献１】特開平９−２６１６２４号公報
【発明の開示】
【発明が解決しようとする課題】
【０００５】
静止画による録画では、画像を記憶保存するメモリの容量が小さくても問題になることはない。しかし、静止画による録画では、訪問客などの動きがわかりにくく、近年では、動画による録画も検討されているが、この場合には、静止画の保存用のメモリでは、容量が足りないという問題がある。
【０００６】
そこで、本発明は、内蔵メモリの容量を増やすことなく、動画での録画を可能にする住宅情報盤を得ることを目的とする。
【課題を解決するための手段】
【０００７】
本発明は、カメラを有する玄関機と接続され、該カメラで撮像された画像を表示するモニタを備えた住宅情報盤において、画像を録画して内蔵メモリに記憶する画像録画部と、該画像録画部と接続され、外付けメモリが装着されるメモリ装着部とを設け、画像録画部は、前記画像を静止画で録画する静止画モードと、前記画像を動画で録画する動画モードとを有することを特徴とするものである。また、メモリ装着部に外付けメモリが装着されると、画像録画部は、動画モードで録画を行い、外付けメモリに動画を記憶することを特徴とするものである。
【発明の効果】
【０００８】
この発明によれば、外付けメモリが装着されていない場合には、静止画モードにより録画されて、その画像は容量の小さい内蔵メモリに保存される。そして、メモリ装着部に外付けメモリが装着されると、録画モードを動画モードに切り換えて、動画モードにより録画を行い、その画像は容量の大きい外付けメモリに保存される。
【０００９】
このように、動画による録画が必要な場合にのみ、外付けメモリを装着して録画を行えばよいので、内蔵メモリの容量は増やさずに、動画モードで動画の録画を行うことができる。
【発明を実施するための最良の形態】
【００１０】
この発明の実施の形態を図１に基づき説明する。図１は、この発明の住宅情報盤およびテレビドアホンのブロック図である。図１において、１０はカメラ１１を有する玄関機の一例としてのテレビドアホンである。２０は、映像線Ｌ１、通話線Ｌ２を介してテレビドアホン１０と接続される住宅情報盤である。この住宅情報盤２０は住戸内に設置され、テレビドアホン１０は住戸の玄関に設置される。
【００１１】
まずテレビドアホン１０の内部構成について説明する。１３はカメラ１１の映像信号を変調して住宅情報盤２０側に映像線Ｌ１を介して出力する変調回路である。１５は呼出釦、１６は呼出回路で、通話線Ｌ２に接続されている。通話線Ｌ２には、図示しないスピーカ及びマイクを備えた通話回路１７も接続されている。
【００１２】
続いて住宅情報盤２０の内部構成について説明する。２１は通話回路で、通話回路１７と同様に、図示しないスピーカ及びマイクを有する。２２は呼出検出回路で、テレビドアホン１０の呼出釦１５が押されたことを検出する回路である。２３は切り換えスイッチで、通常時は、通話線Ｌ２と呼出検出回路２２とを接続しており、テレビドアホン１０と住宅情報盤２０間で通話を行う際には、切り換えられて、通話回路２１と通話線Ｌ２とを接続する。
【００１３】
２６は図示しない商用電源が接続された電源供給回路で、呼出釦１５が押された際に、テレビドアホン１０側に映像線Ｌ１を介して電源を供給する。２７は映像線Ｌ１に接続された復調回路で、変調回路１３で変調された映像信号を復調するものである。２８は復調回路２７に接続された表示部としてのモニタで、呼出釦１５が押され、テレビドアホン１０から呼出がある時に、カメラ１１が撮像した画像を表示するものである。なお、通常時は、モニタ２８にはメニュー画面が表示されている。
【００１４】
３１は復調回路２７に接続され、カメラ１１が撮像した画像を録画する画像録画部で、図示しないＡ／Ｄ変換器、画像圧縮回路などから構成され、フラッシュメモリなどから構成される内蔵メモリ３２に、撮像した画像をＪＰＥＧ方式などで圧縮して記憶する。
【００１５】
この画像録画部３１は、玄関機であるテレビドアホン１０から呼出がある時に起動され、通話回路１７，２１による通話の有無に係わらず、画像を録画する。言い換えると、呼出釦１５が操作され、その呼出に応答しない不在時の場合は勿論、在宅で、ハンドセットを上げたり、又は通話釦を押したりして、その呼出に応答する場合も録画を行う。
【００１６】
また、この画像録画部３１は、画像を静止画で録画する静止画モードと、画像を動画で録画する動画モードとを有しており、このモードの選択は、通常は、静止画モードが選択されているが、後述する外付けメモリ３５がメモリ装着部３４に装着されると、動画モードに切り換わるように制御される。
【００１７】
静止画モードにおける画像録画部３１による録画は、呼出釦１５による呼出がある時から所定時間が経過するまで所定の間隔で行われる。具体的には、図２のタイミングチャートに示すように、呼出があった時から、例えば９秒間、１秒毎に画像を静止画で録画する。この際、呼出釦１５の操作がなされたと同時では、まだカメラ１１が起動していないので、呼出釦１５の操作のあった後、例えば２秒経過させてから、順次１秒周期で画像を録画して、合計８枚の画像を録画する。ここで８枚の画像をまとめて１件として扱い、内蔵メモリ３２に格納する。
【００１８】
動画モードにおける画像録画部３１による録画は、呼出釦１５による呼出がある時から所定時間が経過するまで継続して行われる。例えば、呼出釦１５の操作のあった後、２秒経過させてから、その後の７秒間にわたって連続して画像を動画として録画する。そして、７秒間にわたる動画を１件として扱い、後述する外付けメモリ３５に格納する。
【００１９】
３４は画像録画部３１と接続されたメモリ装着部である。メモリ装着部３４はコネクタなどから構成され、外付けメモリ３５が装着される。このメモリ装着部３４に外付けメモリ３５が装着されると、装着検出部３４Ｃにより、外付けメモリ３５の装着が検出されて、制御部４０により、画像録画部３１による録画モードが、自動的に動画モードに切り換わり、その録画する画像は、外付けメモリ３５に録画される。
【００２０】
ここで、外付けメモリ３５は、内蔵メモリ３２と同様に、フラッシュメモリなどから構成されるが、その記憶容量は、内蔵メモリ３２より遙かに大きく、数件分の動画画像を録画して保存することができる。これに対して内蔵メモリ３２は、容量の小さいコストの低いものが使用され、静止画モードにおける複数件分の静止画画像だけを録画できる容量となっている。これら内蔵メモリ３２、外付けメモリ３５は、録画された時刻毎に順次格納され、メモリの容量が全て使用されている時には、一番古い案件の画像が削除されて上書きされる。
【００２１】
３６はＤ／Ａ変換器や画像伸長回路などから構成される画像再生部で、後述する再生釦の操作（再生操作）に伴い、前述の１件分の画像をモニタ２８に再生する。なお、静止画モードによる画像を再生する場合には、１件８枚からなる静止画を、順次、例えば１秒おきに、モニタ２８に再生表示する。
【００２２】
３７は操作部で、通話を開始する際に押す通話釦、録画した画像を再生する際に操作
する再生釦を少なくとも備えている。操作部３７の一例について説明する。例えば、モニタ２８の横や下に数個の釦を配置し、モニタ２８上に釦の操作内容を表示して、モニタ２８の表示内容を切り換える毎に、釦の役割を変更させることで操作部３７を構成するようにしてもよい。
【００２３】
４０はＭＰＵなどから構成される制御部で、住宅情報盤２０内の各構成ブロックである呼出検出回路２２〜操作部３７に接続されて、各ブロックと信号命令のやりとりをして各ブロックを制御する。この制御部４０は、図示しないタイマを内蔵しており、画像録画部３１により録画を行うとき、録画日時を内蔵メモリ３２又は外付けメモリ３５に記憶する。
【００２４】
次に、この発明の動作について説明する。なお、メモリ装着部３４には外付けメモリ３５が装着されていない場合で説明する。まず住戸の玄関に訪問者が来て、呼出釦１５を押すと、呼出回路１６から通話線Ｌ２を介して呼出信号が出力される。この呼出信号を住宅情報盤２０の呼出検出回路２２が検出すると、図示しないスピーカから呼出音を出力して、訪問客が来たことを知らせる。ここで、電源供給回路２６から映像線Ｌ１を介してテレビドアホン１０に電源が供給され、カメラ１１が起動して訪問客を撮像する。そして変調回路１３で変調された映像信号が映像線Ｌ１を介して送られ、住宅情報盤２０側の復調回路２７で復調されてモニタ２８に訪問客の映像が表示される。
【００２５】
訪問客が押し売りなどでなければ、操作部３７の通話釦を押すことで、切り換えスイッチ２３が通話回路２１側へと切り換えられ、テレビドアホン１０の通話回路１７と住宅情報盤２０の通話回路２１により両者間で通話を行うことができる。
【００２６】
一方、呼出釦１５が押された２秒後から、１秒間隔で、カメラ１１が撮像した画像が画
像録画部３１により録画される。この時、アナログの映像信号はデジタル信号に変換され、ＪＰＥＧ方式で圧縮されて内蔵メモリ３２に記憶される。また制御部４０は内蔵タイマから時刻情報を読み込んで、録画画像に、その撮像時刻をあわせて内蔵メモリ３２に格納する。画像録画部３１は、呼出釦１５が押されてから９秒の間、計８枚の静止画像を録画して、その８枚の画像を１件にまとめて内蔵メモリ３２に格納する。
【００２７】
操作部３７の通話釦を再度押すか、解錠釦を押せば、切り換えスイッチ２３が元の状態に戻って通話が切断される。もし呼出釦１５が操作され、すぐに通話が切断されるような場合には、録画画像は８枚にならず、それより少ない枚数で１件としてメモリに格納されることになる。
【００２８】
以上の説明では、静止画モードにより内蔵メモリ３２に録画する場合で説明したが、続いて、メモリ装着部３４に外付けメモリ３５が装着された場合における録画について説明する。まず、外付けメモリ３５がメモリ装着部３４に装着されると、装着検出部３４Ｃがその装着されたことを検知して制御部４０に信号を送り、制御部４０が画像録画部３１による録画モードを、静止画モードから動画モードに切り換える。動画による録画は、通常の訪問客の場合にも使用できるが、居住者が留守にする時など、特に不審者に備えてセキュリティを高めたいときに使用される。以下の説明では、居住者が不在の場合において、動画モードが設定されている場合について説明する。
【００２９】
この場合、呼出釦１５が押されても、居住者がいないため、操作部３７の通話釦の操作が行われない。しかし、画像録画部３１は、住戸内に人がいて通話を行う場合と同様に録画を開始する。今回は、動画モードに設定されているので、画像録画部３１は、呼出釦１５が押されて、２秒が経過すると、その後の７秒間の間で連続して、カメラ１１が撮像した画像を録画する。撮像した画像は、外付けメモリ３５に動画として記憶され、外付けメモリ３５に格納される録画画像には、録画した時刻情報が一緒にして格納される。
【００３０】
次に、画像を再生する場合について説明する。操作部３７の再生釦を操作すると、モニタ２８に録画した画像が新しい順番で表示される。この画面で図示しない送り釦を操作することで、内蔵メモリ３２、又は外付けメモリ３５に格納された複数件の画像を、順次、古い案件へと切り換えて、モニタ２８に表示させることが可能である。再生したい案件の画像を確認したら、その後、画像再生部３６により自動で録画画面の再生が行われ、モニタ２８に録画した画像が再生表示される。
【００３１】
静止画モードにおいて録画した画像を再生する場合には、呼出があった時から、撮像した８枚の静止画を、内蔵メモリ３２から読み込んで、順次、モニタ２８に再生して、録画した静止画を１秒おきに１画面づつ切り換えて表示する。また、動画モードにおいて録画した画像を再生する場合には、呼出後に、撮像した７秒間にわたる動画を、外付けメモリ３５から読み込んで、モニタ２８に再生表示する。
【００３２】
このように本発明によれば、外付けメモリ３５が装着されていない場合には、静止画モードにより録画されて、その画像は容量の小さい内蔵メモリ３２に保存される。そして、メモリ装着部３４に外付けメモリ３５が装着されると、録画モードを動画モードに切り換えて、動画モードにより録画を行い、その画像は容量の大きい外付けメモリ３５に保存される。従って、動画による録画が必要な場合にのみ、外付けメモリ３５を装着して録画を行えばよいので、内蔵メモリ３２の容量は増やさずに、動画での録画を行うことができる。
【００３３】
ところで、住宅情報盤２０の内蔵メモリ３２自体を大容量にして動画での録画を行えるようにすることも可能であるが、住宅情報盤２０の利用者によって、訪問客の数も違ったり、利用者によっては、静止画だけの録画で十分な場合もある。
【００３４】
このため、多数、出荷される住宅情報盤２０の標準品に、大容量の内蔵メモリ３２を備えると、それによってコストが高くなるが、本発明のように、住宅情報盤２０の標準品には、静止画による録画が可能な容量の小さい内蔵メモリ３２だけを最低限、備えておき、オプションとして、動画での録画も可能な外付けメモリ３５を設けるように構成すれば、機器のコストを抑えることが可能となる。
【００３５】
本実施の形態においては、外付けメモリが装着されると、動画モードにより録画を行うようにしたが、手動の録画モードの切換スイッチを設けて、静止画モードにおける静止画の録画画像を外付けメモリに記憶させるようにしてもよい。このようにすると、内蔵メモリの記憶容量が全て使用されている時に、引き続き外付けメモリに静止画で録画されるので、内蔵メモリに記憶された画像を削除せずに済む。また、内蔵メモリに記憶された静止画像を読み込んで、外付けメモリに書き込むコピー機能を制御部に設けるようにしてもよい。なお、内蔵メモリをなくして、外付けメモリだけに録画を行うようにしてもよい。
この場合は、前述の手動の録画モードの切換スイッチにより静止画又は動画による録画の選択を行う。
【００３６】
この外付けメモリ３５は、接続用のインタフェースを介して、外部のパソコンに接続することも可能であり、パソコンから録画した画像を取り出せるようにしてもよい。このようにして、住宅情報盤から容易に録画画像を取り出せるようにすることで、不審者などを撮像した映像を警察などに簡単に渡すことが可能になる。
【００３７】
また、玄関機としてテレビドアホンを一例に説明したが、集合玄関に設置される集合玄関機が撮像する映像を録画するようにしてもよい。なお、外付けメモリがメモリ装着部に装着されているか否かの検出は、住宅情報盤の電源投入時に判断するようにしてもよい。
【図面の簡単な説明】
【００３８】
【図１】住宅情報盤と玄関機のブロック図である。
【図２】録画のタイミングチャートである。
【符号の説明】
【００３９】
１０  テレビドアホン、  １１  カメラ、  １３  変調回路、  １５  呼出釦、
１６  呼出回路、  １７  通話回路、  ２０  住宅情報盤、  ２１  通話回路、
２２  呼出検出回路、  ２３  スイッチ、  ２６  電源供給回路、
２７  復調回路、  ２８  モニタ、  ３１  画像録画部、  ３２  内蔵メモリ、
３４  メモリ装着部、  ３４Ｃ  装着検出部、  ３５  外付けメモリ、
３６  画像再生部、  ３７  操作部、  ４０  制御部、  ｔｔ
【図１】
2007174070.tif 000003
【図２】
2007174070.tif 000004